【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
画像取得装置と、
前記画像取得装置を動作させて、患者の医療画像を取得すると共に前記画像取得装置の動作履歴を記憶するマシンログを維持するようにプログラムされた電子プロセッサを有する装置コントローラと、
少なくとも１つの医療情報システム（ＨＩＳ）から患者情報を取り出すようにプログラムされたサーバコンピュータと、
少なくとも１つのフィードバック装置と、
を有する撮像システムであって、
前記装置コントローラ、前記サーバコンピュータ又は前記装置コントローラ及び前記サーバコンピュータの組み合わせは状態変数の値により定義される複数の状態を持つ少なくとも１つのステートマシンを構成するようプログラムされ、前記状態は画像取得手順及び前記画像取得装置の各到達可能な状態を表し、前記少なくとも１つのステートマシンは前記画像取得手順の間において状態の間を遷移し、これにより、該少なくとも１つのステートマシンは前記画像取得手順及び前記画像取得装置の現在の状態を表し、該少なくとも１つのステートマシンの前記状態変数の値は少なくとも前記画像取得装置に関する前記マシンログの内容及び前記少なくとも１つのＨＩＳから前記サーバコンピュータにより取り出された患者情報に基づいて決定され、
前記少なくとも１つのフィードバック装置は、操作者に対して、前記画像取得手順を前記少なくとも１つのステートマシンの現在の状態に基づいて実行するための指導情報を供給する、
撮像システム。
【請求項２】
前記少なくとも１つのステートマシンが、
前記画像取得装置を表すと共に複数の状態を持つ第１ステートマシンであって、該第１ステートマシンの状態変数の値が前記画像取得装置に関する前記マシンログの内容に基づいて決定される第１ステートマシンと、
前記画像取得手順を表すと共に複数の状態を持つ第２ステートマシンであって、該第２ステートマシンの状態変数の値が少なくとも前記第１ステートマシン及び前記少なくとも１つのＨＩＳから前記サーバコンピュータにより取り出された患者情報に基づいて決定される第２ステートマシンと、
を有する、請求項１に記載の撮像システム。
【請求項３】
前記第１ステートマシンの状態変数は少なくとも患者の位置及び前記画像取得装置の設定値を含み、
前記第２ステートマシンの状態変数が少なくとも前記画像取得手順の識別情報及び前記少なくとも１つのＨＩＳから取り出された患者医療情報を含む、
請求項２に記載の撮像システム。
【請求項４】
前記少なくとも１つのステートマシンが、少なくとも撮像スキャンの間における患者の動きの状態及び撮像スキャンを実行する異なる順序の状態を含む複数の状態を有する、
請求項１に記載の撮像システム。
【請求項５】
前記少なくとも１つのステートマシンの状態が、対応する状態の１つが現存する場合に実行されるべき関連する動作を有し、前記関連する動作が、少なくとも前記操作者に指導ビデオを表示すること及び前記操作者に推奨情報を提供することを含む、
請求項１に記載の撮像システム。
【請求項６】
前記関連する動作は推奨された動作を含み、前記操作者が推奨された動作に従わない場合に、前記少なくとも１つのフィードバック装置は、前記推奨された動作が何故従われなかったかを説明するフィードバックフィールド用の値を受けるための少なくとも１つのＧＵＩダイアログを含む、
請求項５に記載の撮像システム。
【請求項７】
前記状態変数が患者のバイタルサイン値を更に含む、請求項３に記載の撮像システム。
【請求項８】
前記少なくとも１つのフィードバック装置が、前記操作者による前記推奨された動作の少なくとも１つを示す入力を受けるための少なくとも１つのＧＵＩダイアログを含むグラフィックユーザインターフェース（ＧＵＩ）を表示する、
請求項５から７の何れか一項に記載の撮像システム。
【請求項９】
前記サーバコンピュータに動作的に接続された少なくとも１つのデータベースを更に含み、該少なくとも１つのデータベースは以前の画像取得手順からの画像取得ワークフローパターンに関する情報、前記画像取得装置の標準化されたワークフローに関する情報及び前記画像取得手順の間にスキャンされる患者に関する情報を記憶し、
前記第２ステートマシンが前記少なくとも１つのデータベースからの情報により更新され、
前記少なくとも１つのフィードバック装置は前記画像取得手順の間において前記操作者に音響的又は視覚的メッセージの少なくとも一方により推奨情報を供給し、該推奨情報が前記少なくとも１つのデータベースにおける情報に基づくものである、
請求項２に記載の撮像システム。
【請求項１０】
前記画像取得装置は、磁気共鳴撮像（ＭＲＩ）装置、コンピュータトモグラフィ（ＣＴ）装置、陽電子放射トモグラフィ（ＰＥＴ）装置、単一光子放射コンピュータトモグラフィ（ＳＰＥＣＴ）装置及び超音波（ＵＳ）装置のうちの１つであり、
前記少なくとも１つのフィードバック装置は第１フィードバック装置及び第２フィードバック装置を含み、
前記第１フィードバック装置及び前記画像取得装置は第１のラジオ波（ＲＦ）遮蔽室内に配置され、前記装置コントローラ、前記第２フィードバック装置及び前記サーバコンピュータが第２の別の非ＲＦ遮蔽室内に配置される、
請求項１から９の何れか一項に記載の撮像システム。
【請求項１１】
画像取得の方法を実行するために少なくとも１つの電子プロセッサを含むコンピュータにより読取可能且つ実行可能な命令を記憶した非一時的コンピュータ読取可能な媒体であって、前記方法が、
画像取得装置を患者の１以上の画像を取得するように制御するステップと、
前記画像の取得の間に前記画像取得装置のマシンログを更新するステップと、
医療情報システム（ＨＩＳ）、以前の画像取得手順からの典型的撮像ワークフローパターンに関する情報を記憶する第１データベース、並びに撮像現場固有の標準化されたワークフローに関する情報及びスキャンされる患者に関する情報を含む第２データベースのうちの少なくとも１つから情報を取り出すステップと、
前記画像の取得の間において前記コンピュータの少なくとも１つのステートマシンの現在の状態を前記取り出された情報及び前記更新されたマシンログに基づいて確定するステップと、
前記画像取得装置及び前記コンピュータに動作的に接続された少なくとも１つのフィードバック装置を制御して、前記画像取得装置の操作者に前記ステートマシンの少なくとも１つの現在の状態に基づいて指導情報を供給するステップと、
前記少なくとも１つのステートマシンが、受信された前記指導情報に基づいて状態の間を遷移した場合に前記ステートマシンの少なくとも１つを更新するステップと、
を有する、非一時的コンピュータ読取可能な媒体。
【請求項１２】
前記少なくとも１つのステートマシンが、
前記画像取得装置を表すと共に複数の状態を持つ第１ステートマシンであって、該第１ステートマシンの状態変数の値が前記画像取得装置に関する前記マシンログの内容に基づいて決定される第１ステートマシンと、
前記画像取得手順を表すと共に複数の状態を持つ第２ステートマシンであって、該第２ステートマシンの状態変数の値が少なくとも前記第１ステートマシン及び前記少なくとも１つのＨＩＳからサーバにより取り出された患者情報に基づいて決定される第２ステートマシンと、
を有する、請求項１１に記載の非一時的コンピュータ読取可能な媒体。
【請求項１３】
前記第１ステートマシンの状態変数は少なくとも患者の位置及び前記画像取得装置の設定値を含み、
前記第２ステートマシンの状態変数が少なくとも前記画像取得手順の識別情報及び前記少なくとも１つのＨＩＳから取り出された患者医療情報を含む、
請求項１２に記載の非一時的コンピュータ読取可能な媒体。
【請求項１４】
前記少なくとも１つのステートマシンが、少なくとも撮像スキャンの間における患者の動きの状態及び撮像スキャンを実行する異なる順序の状態を含む複数の状態を有し、
前記少なくとも１つのステートマシンの状態は対応する状態の１つが現存する場合に実行されるべき関連する動作を有し、該関連する動作が少なくとも前記操作者に指導ビデオを表示すること、前記操作者に推奨情報を提供すること及び推奨される動作を含む、
請求項１１に記載の非一時的コンピュータ読取可能な媒体。
【請求項１５】
前記コンピュータに動作的に接続された少なくとも１つのデータベースを更に含み、該少なくとも１つのデータベースは以前の画像取得手順からの画像取得ワークフローパターンに関する情報、前記画像取得装置の標準化されたワークフローに関する情報及び前記画像取得手順の間にスキャンされる患者に関する情報を記憶し、
前記第２ステートマシンは前記少なくとも１つのデータベースからの情報により更新され、
前記少なくとも１つのフィードバック装置は前記画像取得手順の間において前記操作者に音響的及び視覚的メッセージの少なくとも一方により推奨情報を供給し、該推奨情報が前記少なくとも１つのデータベースにおける情報に基づくものである、
請求項１２に記載の非一時的コンピュータ読取可能な媒体。